(57)【要約】【課題】装着していることが第三者にわかりにくく、且つ排泄物の隠蔽性に優れ、装着時に違和感を生じにくい吸収性物品を提供すること。【解決手段】本発明の吸収性物品１は、表面シート２、裏面シート３及び吸収体４を具備する実質的に縦長の吸収性本体６と、該吸収性本体６の長手方向の両側縁６ａ，６ａから延出する一対のウイング部８，８とを有している。表面シート２が非透明であり、裏面シート３が透明であり、且つ裏面シート３と吸収体４との間に、不織布からなる非透明の中間シート１０が該吸収体４を幅方向に横断するように配されている。各ウイング部８は、吸収性本体６から延出する裏面シート３を含んで構成されており、且つその基端部８０における肌当接面には中間シート１０が配されている。各ウイング部８における基端部８０以外の部分は、背黒色明度ＬBが５０以下であり、且つ背白色明度ＬWが７０以上である。【選択図】図２
2010136833.tif 000002
【特許請求の範囲】
【請求項１】
肌当接面を形成する表面シート、非肌当接面を形成する裏面シート、及び両シート間に介在された吸収体を具備する実質的に縦長の吸収性本体と、該吸収性本体の長手方向の両側縁から延出する一対のウイング部とを有している吸収性物品であって、
前記表面シートが非透明であり、且つ前記裏面シートと前記吸収体との間に、不織布からなる中間シートが該吸収体を幅方向に横断するように配されており、
一対の前記ウイング部それぞれは、前記吸収性本体から延出する前記裏面シートを含んで構成されており、且つ該ウイング部の基端部における肌当接面には前記中間シートが配されており、
一対の前記ウイング部それぞれにおける前記基端部以外の部分は、該基端部よりも透明性が高い吸収性物品。
【請求項２】
肌当接面を形成する表面シート、非肌当接面を形成する裏面シート、及び両シート間に介在された吸収体を具備する実質的に縦長の吸収性本体と、該吸収性本体の長手方向の両側縁から延出する一対のウイング部とを有している吸収性物品であって、
前記表面シートが非透明であり、前記裏面シートが透明であり、且つ該裏面シートと前記吸収体との間に、不織布からなる非透明の中間シートが該吸収体を幅方向に横断するように配されており、
一対の前記ウイング部それぞれは、前記吸収性本体から延出する前記裏面シートを含んで構成されており、且つ該ウイング部の基端部における肌当接面には前記中間シートが配されており、
一対の前記ウイング部それぞれにおける前記基端部以外の部分は、背黒色明度ＬBが５０以下であり、且つ背白色明度ＬWが７０以上である吸収性物品。
【請求項３】
一対の前記ウイング部それぞれの非肌当接面に、前記吸収性物品を着衣に固定する透明な粘着部が設けられている請求項１又は２記載の吸収性物品。
【請求項４】
一対の前記ウイング部それぞれにおける前記基端部以外の部分は、ＪＩＳ−Ｚ−８７４１で規定する測定角度６０°での光沢度が７０以下である請求項１〜３の何れかに記載の吸収性物品。
【請求項５】
前記中間シートにおける前記ウイング部の基端部に配されている部分は撥水性である請求項１〜４の何れかに記載の吸収性物品。
【請求項６】
前記表面シートの一部が前記吸収体と前記中間シートとの間に配されており、該表面シートの一部と該中間シートとは疎水性の接着剤によって接合されている請求項１〜５の何れかに記載の吸収性物品。
【発明の詳細な説明】
【技術分野】
【０００１】
本発明は、失禁パッド、生理用ナプキン、パンティライナー（おりものシート）等の吸収性物品に関する。
【背景技術】
【０００２】
従来、生理用ナプキンや失禁パッド等の吸収性物品としては、肌当接面を形成する表面シート、非肌当接面を形成する裏面シート、及び両シート間に介在された吸収体を具備する吸収性本体と、該吸収性本体の長手方向の両側縁から延出する一対のウイング部とを有しているものが知られている。斯かる構成の吸収性物品におけるウイング部は、通常、その片面に粘着部が設けられ、該物品の使用の際にショーツ等の下着の股下部側縁に沿って折り曲げられ、該粘着部を介して該下着の外表面に固定される。例えば特許文献１には、裏面シートを吸収体の両側部から延出させると共に、吸収性物品の肌当接面側の両側部に配された一対のサイド不織布それぞれを該吸収体の両側部から延出させ、これらの延出部からウイング部を構成することが記載されている。
【０００３】
また、特許文献２及び３には、ウイング部の透明性を高めることが記載されている。ウイング部の透明性が高いと、ウイング部が下着の外表面に固定されたときに、該ウイング部を通して下着の色が透けて見えるため、吸収性物品を装着していることが第三者にわかりにくいという利点がある。
【０００４】
【特許文献１】特開２００２−２７２７８６号公報
【特許文献２】特表２００３−５２７９２８号公報
【特許文献３】特開２００５−３１９３３３号公報
【発明の開示】
【発明が解決しようとする課題】
【０００５】
特許文献２に記載の吸収性物品は、ウイング部のみならず、表面シート及び裏面シートも透明であるため、排泄物の隠蔽性が低いという問題がある。また、特許文献３に記載の吸収性物品においては、ウイング部を透明性の高い透明フィルムなどで形成すると、装着時にウイング部の基端部が肌に当接して違和感を与えるおそれがある。
【０００６】
従って、本発明の目的は、装着していることが第三者にわかりにくく、且つ排泄物の隠蔽性に優れ、装着時に違和感を生じにくい吸収性物品を提供することにある。
【課題を解決するための手段】
【０００７】
本発明は、肌当接面を形成する表面シート、非肌当接面を形成する裏面シート、及び両シート間に介在された吸収体を具備する実質的に縦長の吸収性本体と、該吸収性本体の長手方向の両側縁から延出する一対のウイング部とを有している吸収性物品であって、前記表面シートが非透明であり、且つ前記裏面シートと前記吸収体との間に、不織布からなる中間シートが該吸収体を幅方向に横断するように配されており、一対の前記ウイング部それぞれは、前記吸収性本体から延出する前記裏面シートを含んで構成されており、且つ該ウイング部の基端部における肌当接面には前記中間シートが配されており、一対の前記ウイング部それぞれにおける前記基端部以外の部分は、該基端部よりも透明性が高い吸収性物品を提供することにより、前記目的を達成したものである。
【０００８】
また本発明は、肌当接面を形成する表面シート、非肌当接面を形成する裏面シート、及び両シート間に介在された吸収体を具備する実質的に縦長の吸収性本体と、該吸収性本体の長手方向の両側縁から延出する一対のウイング部とを有している吸収性物品であって、前記表面シートが非透明であり、前記裏面シートが透明であり、且つ該裏面シートと前記吸収体との間に、不織布からなる非透明の中間シートが該吸収体を幅方向に横断するように配されており、一対の前記ウイング部それぞれは、前記吸収性本体から延出する前記裏面シートを含んで構成されており、且つ該ウイング部の基端部における肌当接面には前記中間シートが配されており、一対の前記ウイング部それぞれにおける前記基端部以外の部分は、背黒色明度ＬBが５０以下であり、且つ背白色明度ＬWが７０以上である吸収性物品を提供することにより、前記目的を達成したものである。
【発明の効果】
【０００９】
本発明によれば、装着していることが第三者にわかりにくく、且つ排泄物の隠蔽性に優れ、装着時に違和感を生じにくい吸収性物品を提供することができる。
【発明を実施するための最良の形態】
【００１０】
以下、本発明を、その好ましい実施形態に基づき図面を参照して説明する。図１は、本発明の吸収性物品の一実施形態である失禁パッドの肌当接面側（表面シート側）を模式的に示す平面図、図２は、図１のＩ−Ｉ線断面を模式的に示す断面図である。
【００１１】
本実施形態の失禁パッド１は、図１及び図２に示すように、肌当接面を形成する液透過性の表面シート２、非肌当接面を形成する液不透過性又は液難透過性の裏面シート３、及び両シート２，３間に介在された液保持性の吸収体４を具備する実質的に縦長の吸収性本体６と、該吸収性本体６の長手方向の両側縁６ａ，６ａから延出する一対のウイング部７，７とを有している。吸収性本体６の非肌当接面には、該吸収性本体６をショーツに固定するための本体粘着部（図示せず）が設けられている。
【００１２】
尚、本明細書において、肌当接面は、吸収性物品の装着時に装着者の肌側に向けられる面であり、非肌当接面は、吸収性物品の装着時に装着者の肌側とは反対側に向けられる面である。また、長手方向は、吸収性物品又はその構成部材の長手方向に沿う方向であり、幅方向は、該長手方向と直交する方向である。
【００１３】
表面シート２及び裏面シート３は、吸収体４よりも大きな寸法を有し、吸収体４の長手方向両端から延出し、それらの延出部の端部において互いにヒートシール等により接合されてエンドシール部を形成している。表面シート２の一部（表面シート２の長手方向に沿った両側縁部）は、吸収体４と後述する中間シート１０との間に配されている。即ち、表面シート２は、吸収体４の肌当接面の全域を被覆しており、更に吸収体４の長手方向に沿った両側部を被覆し、吸収体４の非肌当接面における左右両側部にまで達している。吸収体４としては、当該技術分野において従来用いられている各種のものを特に制限なく用いることができ、例えば、解繊パルプ等の親水性繊維からなる繊維集合体、又は該繊維集合体に粒子状の吸収性ポリマーを保持させたもの等を用いることができる。また、吸収体４は、図２に示すように、１枚の液透過性のコアラップシート５によってその肌当接面及び非肌当接面が覆われている。このように、吸収体４をコアラップシート５で被覆することは、吸収体４の形状安定性の向上や、吸収体４に粒子状の吸収性ポリマーを含ませた場合にはその担持状態の維持に有効である。コアラップシート５としては、例えば、ティッシュペーパー等の紙や各種不織布、開孔フィルム等を用いることができる。
【００１４】
裏面シート３は、吸収性本体６の長手方向の両側縁６ａ，６ａから幅方向外方に延出して一対のフラップ部７，７を形成している。一対のフラップ部７，７それぞれは、失禁パッド１の長手方向中央部（パッド装着者の排泄部と対抗する部位）において幅方向の外方に更に延出し、一対のウイング部８，８を形成している。ウイング部８はフラップ部７の一部である。このように、一対のウイング部８，８それぞれは、吸収性本体６からその幅方向外方に延出する裏面シート３を含んで構成されている。各ウイング部８は、失禁パッド１の装着時にその非肌当接面がショーツ等の下着のクロッチ部の外表面側に折り返されて用いられ、ウイング部８の非肌当接面には、失禁パッド１を下着に固定する粘着部９が設けられている。
【００１５】
表面シート２は非透明であり、裏面シート３は透明である。ここでいう透明とは、当該シートをその一面側から目視で観察したときに、該一面とは反対側の他面側に位置している物体を視認できることを意味し、非透明とは、該物体を視認できないこと意味する。ここでいう「視認できる」とは、当該シートの他面側から光を当てたときにできる物体の影を確認できるだけでは足らず、物体自体が見えること、即ち物体の輪郭線よりも内方に位置する該物体の形態（例えば物体の表面形状、模様、色彩など）を視認できることを意味する。肌当接面を形成する表面シート２が非透明であると、吸収体４に保持されている排泄物の隠蔽性が高まる。また、ウイング部８の構成部材である裏面シート３が透明であると、透明の裏面シート３から構成されたウイング部８が、下着の股下部側縁に沿って折り曲げられて該下着の外表面に固定されたときに、該ウイング部８を通して下着の色が透けて見えるため、失禁パッド１を装着していることが第三者にわかりにくくなる。裏面シート３は、透明であれば、無色であっても着色であっても良いが、無色透明が特に好ましい。
【００１６】
透明の裏面シート３は、背黒色明度ＬBが好ましくは５０以下、更に好ましくは３０以下であり、且つ背白色明度ＬWが好ましくは７０以上、更に好ましくは８０以上である。ＬBについては０に近いほど、ＬWについては１００に近いほど、当該部位の透明性が高い。特に、ＬBが０に近く且つＬWが１００に近いシートは、透明性が高く、シースルー効果が高い。ＬB及びＬWはそれぞれ次のようにして測定される。
【００１７】
＜背黒色明度ＬB及び背白色明度ＬWの測定方法＞
測定サンプルにおける明度測定部分の一面側に標準黒色板（Ｌ値４）を当て、その状態での該部分の明度Ｌ値を、分光色差計（日本電色工業（株）製、型式：ＳＥ−２０００、使用レンズ：Φ３０ｍｍ）を用い、反射モードで３回測定し、その平均値を背黒色明度ＬBとした。同様に、測定サンプルにおける明度測定部分の一面側に標準白色板（Ｌ値１００）を当て、その状態での該部分の明度Ｌ値を、前記分光色差計を用い、反射モードで３回測定し、その平均値を背白色明度ＬWとした。
【００１８】
裏面シート３としては、透明で且つ液不透過性又は液難透過性のシートを用いることができ、例えば、透明フィルムを用いることができる。該透明フィルムとしては、例えば、ポリエチレン、ポリ酢酸ビニル、エチレン−酢酸ビニル共重合体等の熱可塑性樹脂からなる透明フィルム、あるいはこれらの透明フィルムを貼り合わせてなる複合フィルムで、且つ着色剤を含まないものを用いることができる。裏面シート３の坪量は、好ましくは１５〜７０ｇ／ｍ2、更に好ましくは２５〜５０ｇ／ｍ2である。
【００１９】
非透明の表面シート２は、背黒色明度ＬBが３０以上か又は背白色明度ＬWが８０以下であることが好ましい。特に背黒色明度ＬBが５０より大きいか又は背白色明度ＬWが７０未満であることが更に好ましい。但し、非透明の表面シート２は、透明の裏面シート３よりも、ＬBが大きい（０から遠い）か又はＬWが小さい（１００から遠い）ことが好ましい。表面シート２としては、非透明で且つ液透過性のシートを用いることができ、例えば、非透明の不織布や開孔フィルム等を用いることができる。表面シート２の坪量は、好ましくは１０〜５０ｇ／ｍ2、更に好ましくは２０〜４０ｇ／ｍ2である。
【００２０】
本実施形態においては、上述したウイング部８のシースルー効果をより確実に奏させるようにする観点から、該ウイング部８の非肌当接面に設けられている粘着部９が透明である。ここでいう透明とは、上述した通りである。透明の粘着部９は、背黒色明度ＬBが好ましくは５０以下、更に好ましくは３０以下であり、且つ背白色明度ＬWが好ましくは７０以上、更に好ましくは８０以上である。
【００２１】
透明の粘着部９は、透明の被膜を形成するホットメルト粘着剤等を塗布することにより形成することができる。透明の粘着部９の形成材料となる粘着剤としては、例えば、スチレン−ブタジエン−スチレン（ＳＢＳ）系、スチレン−エチレン−ブタジエン−スチレン（ＳＥＢＳ）系、オレフィン系ホットメルト等を用いることができる。粘着部９における粘着剤の塗布量は、好ましくは１０〜７０ｇ／ｍ2である。尚、粘着部９及び前記本体粘着部（図示せず）は、失禁パッド１の使用前においてはフィルム、不織布、紙などからなる図示しない剥離シートによって被覆されている。前記本体粘着部は、透明であっても良く、非透明であっても良い。
【００２２】
本実施形態において、裏面シート３と吸収体４との間には、図２に示すように、不織布からなる非透明の中間シート１０が該吸収体４を幅方向に横断するように配されている。より具体的には、中間シート１０は、平面視して吸収体４と略同形状をしており且つ吸収体４よりも大きな寸法を有しており、吸収体４の非肌当接面の全域を被覆している。中間シート１０と裏面シート３との間は、接着剤（図示せず）により接合されている。このように、非透明の中間シート１０が吸収体４を幅方向に横断するように配されていることにより、透明の裏面シート３を採用することによる非肌当接面側からの排泄物の隠蔽性の低下を防止することができる。ここでいう非透明とは、上述した通りである。非透明の中間シート１０は、背黒色明度ＬBが５０より大きいか又は背白色明度ＬWが７０未満であることが好ましい。特に背黒色明度ＬBが６０以上か又は背白色明度ＬWが６０以下であることが更に好ましい。但し、非透明の中間シート１０は、透明の裏面シート３よりも、ＬBが大きい（０から遠い）か又はＬWが小さい（１００から遠い）ことが好ましい。
【００２３】
中間シート１０と表面シート２の一部〔表面シート２における吸収体４の非肌当接面側に位置する部分（表面シート２の長手方向に沿った両側縁部）〕とは、防漏性の一層の向上の観点から、疎水性の接着剤１１によって接合されている。接着剤１１は、表面シート２における中間シート１０との対向部の略全面に均一に塗布されている。疎水性の粘着剤１１としては、例えば、ＳＢＳ系、ＳＥＢＳ系、オレフィン系ホットメルト等を用いることができる。
【００２４】
一対のウイング部８，８それぞれの基端部８０における肌当接面には、図１及び図２に示すように、中間シート１０が配されている。即ち、非透明の中間シート１０は、吸収性本体６の長手方向の両側縁６ａ，６ａから幅方向外方に延出しており、その延出部が、一対のフラップ部７，７及び一対のウイング部８，８それぞれの基端部８０を形成している、裏面シート３の肌当接面上に配されている。この非透明の中間シート１０の延出部は露出しており、図１に示す如き失禁パッド１の肌当接面側の平面視において、該延出部を視認することができる。ウイング部８の基端部８０は、該基端部８０に近接する吸収性本体６の長手方向の側縁６ａから幅方向外方に概ね５〜２０ｍｍ以内の部分である。
【００２５】
また中間シート１０は、上述したように吸収性本体６の長手方向の側縁６ａから延出してウイング部８の基端部８０を被覆しているものの、図１及び図２に示すように、該基端部８０よりも幅方向外方に位置する粘着部９の配置箇所には到達していない。即ち、中間シート１０の長手方向の側縁１０ａは、粘着部９よりも吸収性本体６の幅方向内方に位置している。
【００２６】
このように、ウイング部８の基端部８０における肌当接面に不織布からなる中間シート１０が配されていると、装着時の違和感が低減される。即ち、失禁パッド１の使用時において、常法通りにウイング部８の先端側を下着の股下部側縁に沿って折り曲げて該下着の外表面に固定したとき、ウイング部８の基端部８０は、その略全域が折り曲げられずに、パッド装着者の肌と当接する、該下着の内表面側に位置する。従って、基端部８０の肌当接面が不織布からなる中間シート１０で被覆されていると、該肌当接面が樹脂フィルム等の比較的硬い素材で形成されている場合に比して、中間シート１０からなる該肌当接面が肌に対して柔軟で優しく当たるため、装着時の肌への違和感が低減される。また、ウイング部８の基端部８０における肌当接面に非透明の中間シート１０が配されていると、失禁パッド１を下着に装着するときに、ウイング部８の折り返し位置（中間シート１０の長手方向の側縁１０ａと略同位置）を容易に視認することができるため、パッド装着時の操作性が向上する。
【００２７】
本実施形態においては、上述したようにウイング部８において基端部８０のみに非透明の中間シート１０が配されていることにより、基端部８０は、ウイング部８における、中間シート１０が配されていない基端部８０以外の部分よりも透明性が低くなっている。即ち、一対のウイング部８，８それぞれにおける基端部８０以外の部分（以下、非基端部ともいう）は、基端部８０よりも透明性が高い。ウイング部８における非基端部と基端部８０との透明性の差は、パッド１が通常使用される環境下において両部分を目視で見比べたときに、非基端部の方が基端部８０よりも相対的に透明性が高い（基端部８０の方が非基端部よりも相対的に透明性が低い）と認識し得る程度であれば良い。特に好ましいのは、非基端部と基端部８０との背黒色明度ＬBの差の絶対値が５以上、好ましくは１０以上であるか、又は非基端部と基端部８０との背白色明度ＬWの差の絶対値が５以上、好ましくは１０以上である。非基端部は、基端部８０よりも背黒色明度ＬBが小さく（０に近い）、また、基端部８０よりも背白色明度ＬWが大きい（１００に近い）。
【００２８】
一対のウイング部８，８それぞれにおける基端部８０以外の部分（前記非基端部）、即ち、ウイング部８における中間シート１０の長手方向の側縁１０ａよりも吸収性本体６の幅方向外方に位置する部分（粘着部９を含む）は、背黒色明度ＬBが５０以下、好ましくは３０以下であり、且つ背白色明度ＬWが７０以上、好ましくは８０以上である。ウイング部８における非基端部は、下着の外表面に固定されて使用される部分であり、斯かる部分のＬB及びＬWがそれぞれ前記範囲にあることにより、種々の色の着衣（下着）に対してシースルー効果を発現することが可能となる。ＬB及びＬWを前記範囲に調整することは、例えばウイング部８を上述したように構成することで達成することができる。
【００２９】
前記非基端部及び基端部８０それぞれのＬB，ＬWは、前記測定方法に従って測定することができる。その際、前記標準黒色板及び前記標準白色板は、前記非基端部の非肌当接面（粘着部９の配置面）あるいは基端部８０の非肌当接面に当てる。また、基端部８０における吸収性本体６の幅方向に沿った長さが短いため、ＬB，ＬWの測定器（分光色差計）では該基端部８０についての測定が困難な場合は、吸収性本体６の長手方向に延びる該基端部８０の数箇所を切り取り、それらの切片を組み合わせて、測定器の観測視野を覆うような面積の切片として、該基端部８０のＬB，ＬWを測定することができる。
【００３０】
また、一対のウイング部８，８それぞれにおける基端部８０以外の部分（前記非基端部）は、ＪＩＳ−Ｚ−８７４１で規定する測定角度６０°での光沢度が７０以下であることが好ましく、特に、測定角度６０°での光沢度が７０以下で且つ測定角度８５°での光沢度が７０以下であることが好ましい。これらの光沢度は、その値が小さいほど、低光沢である。ウイング部８における非基端部の前記光沢度が前記範囲にあることにより、該非基端部の視認性が低下する。非基端部の前記光沢度を前記範囲に調整することは、例えば非基端部を構成する裏面シート３として、エンボス加工により表面に凹凸形状が付与されたシートや表面に反射防止剤が塗布されたシート等の、各種表面加工が施されたシートを用いることで、達成することができる。前記光沢度は次のようにして測定される。
【００３１】
＜光沢度の測定方法＞
測定サンプルにおける光沢度測定部分（ウイング部８における基端部８０以外の部分）に光沢度計（ＭＩＮＯＬＴＡ：ＧＭ−２６８）の光沢標準板を当て、ＪＩＳ−Ｚ−８７４１に従って測定角度６０°で光沢度を３回測定し、その平均値を測定角度６０°での光沢度とした。同様に、ＪＩＳ−Ｚ−８７４１に従って測定角度８５°で光沢度を３回測定し、その平均値を測定角度８５°での光沢度とした。
【００３２】
中間シート１０を構成する非透明の不織布としては、例えば、スパンレース不織布、エアスルー不織布、スパンボンド不織布、レジンボンド不織布、ヒートボンド不織布等を用いることができる。これらの中でも特に、エアスルー不織布が、肌に対して柔軟で優しく当たる点で好ましい。
【００３３】
また、中間シート１０におけるウイング部８の基端部８０に配されている部分は、撥水性であることが、防漏性の一層の向上の点で好ましい。特に、中間シート１０全体が撥水性である、即ち中間シート１０が撥水性の不織布からなることが好ましい。撥水性の不織布を構成する繊維としては、合成樹脂を好ましく用いることができ、例えば、ポリエチレン、ポリプロピレン等のポリオレフィン系樹脂、ポリエチレンテレフタレート等のポリエステル系樹脂、２種類以上の合成樹脂からなる芯鞘型やサイドバイサイド型等の複合繊維等が挙げられる。これらの繊維は１種を単独で又は２種類以上を組み合わせて用いることができる。
【００３４】
中間シート１０を構成する不織布の坪量は、中間シート１０が肌に対して柔軟で優しく当たることができ、また、防漏性を一層向上させることができる観点から、好ましくは１０〜５０ｇ／ｍ2、更に好ましくは１５〜３０ｇ／ｍ2である。
【００３５】
上述の如き構成を有する本実施形態の失禁パッド１は、この種の失禁パッドあるいは生理用ナプキンと同様に、一対のウイング部８，８をショーツ等の下着の股下部側縁に沿って折り曲げ、粘着部９を介して各ウイング部８を該下着の外表面に固定して使用する。本実施形態の失禁パッド１によれば、各ウイング部８における下着の外表面に固定された部分の背黒色明度ＬB及び背白色明度ＬWがそれぞれ前記範囲内にあり、該下着の外表面の色を透かすように構成されているため、装着中に失禁パッド１の存在が目立たない。また、ウイング部８の基端部８０の肌当接面に非透明の不織布からなる中間シート８が配されていることにより、パッド１を下着に装着する際には、ウイング部８の折り返し位置を容易に視認できるため操作性に優れ、またパッド１の装着中においては、肌への違和感を生じにくい。また、排泄物を保持する吸収体４を挟持している表面シート２及び中間シート１０が何れも非透明であるため、排泄物の隠蔽性に優れる。また、一対のウイング部８，８それぞれの基端部８０が、吸収体４を幅方向に横断する１枚の連続シートである中間シート１０を含んで構成されていることにより、これら一対の基端部８０，８０が複数枚のシートを組み合わせて構成されている場合に比して、ウイング部８の折り返し部位の強度が高く、パッド１の生産効率も高い。
【００３６】
以上、本発明をその好ましい実施形態に基づき説明したが、本発明は前記実施形態に制限されない。例えば、失禁パッド１の肌当接面側の長手方向に沿った両側部に、該長手方向に延びる一対の立体ギャザーが配されていても良い。立体ギャザーは、例えば、失禁パッド１の幅方向の一端部が固定された帯状シートと、該帯状シートの該幅方向の他端部（自由端部）に伸長状態で固定された１本又は複数本の立体ギャザー形成用弾性部材とを具備する構成とすることができる。また、前記実施形態では、本発明の吸収性物品の適用例の一つとして失禁パッドを挙げたが、例えば生理用ナプキン、パンティライナー（おりものシート）等にも適用できる。
【００３７】
また、前記実施形態では、中間シート１０として非透明の不織布（背黒色明度ＬBが５０より大きいか、又は背白色明度ＬWが７０未満である不織布）を用いたが、これに換えて、「不織布単体では透明であるが、透明の裏面シートと重ね合わせたときにその重ね合わせ部分が非透明である不織布」（以下、準非透明不織布ともいう）を中間シート１０として用いることができる。準非透明不織布の具体例としては、該不織布単体では、背黒色明度ＬBが２５〜５０であり、且つ背白色明度ＬWが７０〜８０であり（即ち透明であり）、透明の裏面シート３と重ね合わせたときの該不織布と該裏面シートとの積層部分においては、背黒色明度ＬBが５０より大きい（好ましくは６０より大きい）か又は背白色明度ＬWが７０未満（好ましくは６０未満）である（即ち非透明である）ものが挙げられる。また、準非透明不織布を中間シート１０として用いる場合、該準非透明不織布としては、非透明の不織布よりも若干厚みが大きいものが有効である。中間シート１０として用いられる非透明の不織布の厚み（無荷重下における厚み）は、好ましくは０．１〜０．５ ｍｍであるのに対し、中間シート１０として用いられる準非透明不織布の厚み（無荷重下における厚み）は、好ましくは０．５〜３ ｍｍである。
【００３８】
また、中間シート１０として、ウイング部８の基端部８０を構成する裏面シート３とは異なる光沢度を有する不織布を用いても良く、そうすることによって基端部８０の視認性が一層高まる。
【図面の簡単な説明】
【００３９】
【図１】図１は、本発明の吸収性物品の一実施形態としての失禁パッドの肌当接面側を示す平面図である。
【図２】図２は、図１のＩ−Ｉ線断面を模式的に示す断面図である。
【符号の説明】
【００４０】
１  失禁パッド（吸収性物品）
２  表面シート
３  裏面シート
４  吸収体
５  コアラップシート
６  吸収性本体
６ａ  吸収性本体の長手方向の側縁
７  フラップ部
８  ウイング部
８０  ウイング部の基端部
９  粘着部
１０  中間シート
１０ａ  中間シートの長手方向の側縁
【図１】
2010136833.tif 000003
【図２】
2010136833.tif 000004